(57)【要約】【課題】たとえば常時録画中にチャンネル切り替えが行われた場合であっても、チャンネル（ｃｈ）切り替え後の常時録画を適切に行うこと。【解決手段】テレビジョン装置１０側の制御部１４により、一定時間内においてチャンネル（ｃｈ）の切り替えが無いと判断されると、録画再生装置２０側の録画制御部２１に対して現在選局中のチャンネル（ｃｈ）のテレビ放送番組の常時録画を行わせるように指示され、さらに、記録部１３に記録されている画像データが所定のファイル形式に変換されて録画再生装置２０に転送され、録画制御部２１により、制御部１４からの指示に基づき、記録媒体に録画データを録画するためのテレビ放送番組のチャンネル（ｃｈ）がロックされ、該テレビ放送番組の録画データにテレビジョン装置１０からの画像データが合体されて記録媒体への録画が行われるようにした。【選択図】図１
2013175965.tif 000002
【特許請求の範囲】
【請求項１】
表示装置に表示されている静止画像及び／又は動画像が画像データとして記録される記録部と、少なくとも前記記録部に対して前記画像データを記録させる制御部とを有するテレビジョン装置と、
少なくとも記録媒体に対して所定のファイル形式での録画データの常時録画を行わせる録画制御部を有する録画再生装置とを備え、
前記制御部は、
一定時間内においてチャンネルの切り替えが無いと判断すると、前記録画制御部に対して現在選局中のチャンネルのテレビ放送番組の常時録画を行わせるように指示し、さらに、前記記録部に記録されている画像データを前記所定のファイル形式に変換して前記録画再生装置に転送し、
前記録画制御部は、前記制御部からの指示に基づき、前記記録媒体に前記録画データを録画するための前記テレビ放送番組のチャンネルをロックし、該テレビ放送番組の録画データに前記テレビジョン装置からの画像データを合体させて前記記録媒体への録画を行わせる
ことを特徴とする録画再生システム。
【請求項２】
前記制御部は、前記テレビジョン装置の電源がＯＮされると、前記一定時間内に相当する前記画像データを前記所定のファイル形式に変換して前記録画再生装置に転送し、
前記録画制御部は、前記テレビ放送番組の録画データの先頭に前記テレビジョン装置からの画像データを合体させて前記記録媒体への録画を行わせる
ことを特徴とする請求項１に記載の録画再生システム。
【請求項３】
前記制御部は、前記テレビ放送番組の視聴中にチャンネルの切り替えがあった後、前記録画制御部に対して現在選局中のチャンネルのテレビ放送番組の常時録画を行わせるように指示し、さらに、前記一定時間内に相当する前記画像データを前記所定のファイル形式に変換して前記録画再生装置に転送し、
前記録画制御部は、前記記録媒体に前記録画データを録画するための前記テレビ放送番組のチャンネルを切り替えてロックし、該切り替えた前記テレビ放送番組の録画データの先頭に前記テレビジョン装置からの画像データを合体させて前記記録媒体への録画を行わせる
ことを特徴とする請求項１又は２に記載の録画再生システム。
【請求項４】
前記一定時間をｔ１とし、
前記録画再生装置の録画のチャンネル切り替えに要する時間をｔ３とし、
前記ｔ１は、設定変更可能とされており、
前記制御部は、
ｔ１＜ｔ３のときで、ｔ１からｔ３の間にチャンネルの切り替えが行われると、ｔ１からチャンネルが切り替えられるまでの間の画像データを前記記録部に対して記録させ、
ｔ１＜ｔ３のときで、０からｔ１の間にチャンネルの切り替えが行われると、０からチャンネルが切り替えられるまでの間の画像データを前記記録部に対して記録させず、
ｔ３＜ｔ１のときで、ｔ３からｔ１の間にチャンネルの切り替えが行われると、ｔ３からチャンネルが切り替えられるまでの間の画像データを前記記録部に対して記録させない  ことを特徴とする請求項１〜３のいずれかに記載の録画再生システム。
【請求項５】
少なくとも、テレビジョン装置の表示装置に表示されているテレビ放送番組の内容を所定のファイル形式の録画データとして録画再生装置に録画する録画再生方法であって、
前記テレビジョン装置の制御部により、少なくとも記録部に対して前記表示装置に表示されている静止画像及び／又は動画像が画像データとして記録され、
前記録画再生装置の録画制御部により、少なくとも記録媒体に対して所定のファイル形式での録画データの常時録画が行われ、
前記制御部により、一定時間内においてチャンネルの切り替えが無いと判断されると、前記録画制御部に対して現在選局中のチャンネルのテレビ放送番組の常時録画を行わせるように指示され、さらに、前記記録部に記録されている画像データが前記所定のファイル形式に変換されて前記録画再生装置に転送され、
前記録画制御部により、前記制御部からの指示に基づき、前記記録媒体に前記録画データを録画するための前記テレビ放送番組のチャンネルがロックされ、該テレビ放送番組の録画データに前記テレビジョン装置からの画像データが合体されて前記記録媒体への録画が行われる
ことを特徴とする録画再生方法。
【請求項６】
前記制御部により、前記テレビジョン装置の電源がＯＮされると、前記一定時間内に相当する前記画像データが前記所定のファイル形式に変換されて前記録画再生装置に転送され、
前記録画制御部により、前記テレビ放送番組の録画データの先頭に前記テレビジョン装置からの画像データが合体されて前記記録媒体への録画が行われる
ことを特徴とする請求項５に記載の録画再生方法。
【請求項７】
前記制御部により、前記テレビ放送番組の視聴中にチャンネルの切り替えがあった後、前記録画制御部に対して現在選局中のチャンネルのテレビ放送番組の常時録画を行わせるように指示され、さらに、前記一定時間内に相当する前記画像データが前記所定のファイル形式に変換されて前記録画再生装置に転送され、
前記録画制御部により、前記記録媒体に前記録画データを録画するための前記テレビ放送番組のチャンネルが切り替えられてロックされ、該切り替えられた前記テレビ放送番組の録画データの先頭に前記テレビジョン装置からの画像データが合体されて前記記録媒体への録画が行われる
ことを特徴とする請求項５又は６に記載の録画再生方法。
【請求項８】
前記一定時間をｔ１とし、
前記録画再生装置の録画のチャンネル切り替えに要する時間をｔ３とし、
前記ｔ１は、設定変更可能とされており、
前記制御部は、
ｔ１＜ｔ３のときで、ｔ１からｔ３の間にチャンネルの切り替えが行われると、ｔ１からチャンネルが切り替えられるまでの間の画像データを前記記録部に対して記録させ、
ｔ１＜ｔ３のときで、０からｔ１の間にチャンネルの切り替えが行われると、０からチャンネルが切り替えられるまでの間の画像データを前記記録部に対して記録させず、
ｔ３＜ｔ１のときで、ｔ３からｔ１の間にチャンネルの切り替えが行われると、ｔ３からチャンネルが切り替えられるまでの間の画像データを前記記録部に対して記録させない  ことを特徴とする請求項５〜７のいずれかに記載の録画再生方法。
【発明の詳細な説明】
【技術分野】
【０００１】
本発明は、ハードディスク等の記録媒体を有した記録再生装置に対しての録画に適した録画再生システム及び録画再生方法に関する。
【背景技術】
【０００２】
常時録画の機能を備えたテレビジョン装置においては、テレビ放送番組の視聴とともに、そのテレビ放送番組の常時録画が行われるようになっている。また、チャンネルが切り替えられた場合も、その切り替えられたチャンネルのテレビ放送番組が録画されるように常時録画が切り替えられるようになっている。
【０００３】
このような録画に関するものとして、特許文献１では、ザッピング（チャンネルを頻繁に切り替えたりすること）後に、ザッピング前に視聴していた視聴番組におけるザッピング中のシーンを視聴し直せるようにした放送記録再生装置を提案している。
【０００４】
これは、選局チャンネルを視聴者に切り替えさせる切替手段と、視聴用チャンネルと同チャンネルを記録用チャンネルとして選局・復調する記録用チューナと、記録用チューナで復調したチャンネルの放送信号を記憶装置に常時記録する常時記録手段と、記録された放送信号と視聴用チューナで復調した放送信号とを入力し視聴者が記録された元のチャンネルの視聴を希望したときのみ視聴用チューナで復調した放送信号の代わりに常時記録手段で記録された放送信号を選択し再生用に出力する選択回路とを備え、記録用チューナでの選局チャンネルを、切替手段でチャンネルの切り替えがあり且つ所定の条件を満たしたときのみ、切替手段で視聴者が切り替えたチャンネルに変更するようにしたものである。
【先行技術文献】
【特許文献】
【０００５】
【特許文献１】特開２００６−１９７９３号公報
【発明の概要】
【発明が解決しようとする課題】
【０００６】
ところが、上述した特許文献１では、ザッピング後にザッピング前に視聴していた視聴番組の切り替え中のシーンを視聴することができるものの、ザッピング後においては、一定時間経過後に録画チャンネルが切り替わるため、ザッピング直後のテレビ放送番組についての録画を行うことができないという問題があった。
【０００７】
本発明は、このような状況に鑑みてなされたものであり、たとえば常時録画中にチャンネル切り替えが行われた場合であっても、チャンネル切り替え後の常時録画を適切に行うことができる録画再生システム及び録画再生方法を提供することを目的とする。
【課題を解決するための手段】
【０００８】
本願発明の録画再生システムは、表示装置に表示されている静止画像及び／又は動画像が画像データとして記録される記録部と、少なくとも前記記録部に対して前記画像データを記録させる制御部とを有するテレビジョン装置と、少なくとも記録媒体に対して所定のファイル形式での録画データの常時録画を行わせる録画制御部を有する録画再生装置とを備え、前記制御部は、一定時間内においてチャンネルの切り替えが無いと判断すると、前記録画制御部に対して現在選局中のチャンネルのテレビ放送番組の常時録画を行わせるように指示し、さらに、前記記録部に記録されている画像データを前記所定のファイル形式に変換して前記録画再生装置に転送し、前記録画制御部は、前記制御部からの指示に基づき、前記記録媒体に前記録画データを録画するための前記テレビ放送番組のチャンネルをロックし、該テレビ放送番組の録画データに前記テレビジョン装置からの画像データを合体させて前記記録媒体への録画を行わせることを特徴とする。
また、前記制御部は、前記テレビジョン装置の電源がＯＮされると、前記一定時間内に相当する前記画像データを前記所定のファイル形式に変換して前記録画再生装置に転送し、前記録画制御部は、前記テレビ放送番組の録画データの先頭に前記テレビジョン装置からの画像データを合体させて前記記録媒体への録画を行わせるようにすることができる。
また、前記制御部は、前記テレビ放送番組の視聴中にチャンネルの切り替えがあった後、前記録画制御部に対して現在選局中のチャンネルのテレビ放送番組の常時録画を行わせるように指示し、さらに、前記一定時間内に相当する前記画像データを前記所定のファイル形式に変換して前記録画再生装置に転送し、前記録画制御部は、前記記録媒体に前記録画データを録画するための前記テレビ放送番組のチャンネルを切り替えてロックし、該切り替えた前記テレビ放送番組の録画データの先頭に前記テレビジョン装置からの画像データを合体させて前記記録媒体への録画を行わせるようにすることができる。
また、前記一定時間をｔ１とし、前記録画再生装置の録画のチャンネル切り替えに要する時間をｔ３とし、前記ｔ１は、設定変更可能とされており、前記制御部は、ｔ１＜ｔ３のときで、ｔ１からｔ３の間にチャンネルの切り替えが行われると、ｔ１からチャンネルが切り替えられるまでの間の画像データを前記記録部に対して記録させ、ｔ１＜ｔ３のときで、０からｔ１の間にチャンネルの切り替えが行われると、０からチャンネルが切り替えられるまでの間の画像データを前記記録部に対して記録させず、ｔ３＜ｔ１のときで、ｔ３からｔ１の間にチャンネルの切り替えが行われると、ｔ３からチャンネルが切り替えられるまでの間の画像データを前記記録部に対して記録させないようにすることができる。
本願発明の録画再生方法は、少なくとも、テレビジョン装置の表示装置に表示されているテレビ放送番組の内容を所定のファイル形式の録画データとして録画再生装置に録画する録画再生方法であって、前記テレビジョン装置の制御部により、少なくとも記録部に対して前記表示装置に表示されている静止画像及び／又は動画像が画像データとして記録され、前記録画再生装置の録画制御部により、少なくとも記録媒体に対して所定のファイル形式での録画データの常時録画が行われ、前記制御部により、一定時間内においてチャンネルの切り替えが無いと判断されると、前記録画制御部に対して現在選局中のチャンネルのテレビ放送番組の常時録画を行わせるように指示され、さらに、前記記録部に記録されている画像データが前記所定のファイル形式に変換されて前記録画再生装置に転送され、前記録画制御部により、前記制御部からの指示に基づき、前記記録媒体に前記録画データを録画するための前記テレビ放送番組のチャンネルがロックされ、該テレビ放送番組の録画データに前記テレビジョン装置からの画像データが合体されて前記記録媒体への録画が行われることを特徴とする。
また、前記制御部により、前記テレビジョン装置の電源がＯＮされると、前記一定時間内に相当する前記画像データが前記所定のファイル形式に変換されて前記録画再生装置に転送され、前記録画制御部により、前記テレビ放送番組の録画データの先頭に前記テレビジョン装置からの画像データが合体されて前記記録媒体への録画が行われるようにすることができる。
また、前記制御部により、前記テレビ放送番組の視聴中にチャンネルの切り替えがあった後、前記録画制御部に対して現在選局中のチャンネルのテレビ放送番組の常時録画を行わせるように指示され、さらに、前記一定時間内に相当する前記画像データが前記所定のファイル形式に変換されて前記録画再生装置に転送され、前記録画制御部により、前記記録媒体に前記録画データを録画するための前記テレビ放送番組のチャンネルが切り替えられてロックされ、該切り替えられた前記テレビ放送番組の録画データの先頭に前記テレビジョン装置からの画像データが合体されて前記記録媒体への録画が行われるようにすることができる。
また、前記一定時間をｔ１とし、前記録画再生装置の録画のチャンネル切り替えに要する時間をｔ３とし、前記ｔ１は、設定変更可能とされており、前記制御部は、ｔ１＜ｔ３のときで、ｔ１からｔ３の間にチャンネルの切り替えが行われると、ｔ１からチャンネルが切り替えられるまでの間の画像データを前記記録部に対して記録させ、ｔ１＜ｔ３のときで、０からｔ１の間にチャンネルの切り替えが行われると、０からチャンネルが切り替えられるまでの間の画像データを前記記録部に対して記録させず、ｔ３＜ｔ１のときで、ｔ３からｔ１の間にチャンネルの切り替えが行われると、ｔ３からチャンネルが切り替えられるまでの間の画像データを前記記録部に対して記録させないようにすることができる。
本発明の録画再生システム及び録画再生方法では、テレビジョン装置側の制御部により、一定時間内においてチャンネルの切り替えが無いと判断されると、録画再生装置側の録画制御部に対して現在選局中のチャンネルのテレビ放送番組の常時録画を行わせるように指示され、さらに、記録部に記録されている画像データが所定のファイル形式に変換されて録画再生装置に転送され、録画制御部により、制御部からの指示に基づき、記録媒体に録画データを録画するためのテレビ放送番組のチャンネルがロックされ、該テレビ放送番組の録画データにテレビジョン装置からの画像データが合体されて記録媒体への録画が行われる。
【発明の効果】
【０００９】
本発明の録画再生システム及び録画再生方法によれば、テレビジョン装置側の制御部により、一定時間内においてチャンネルの切り替えが無いと判断されると、記録再生装置側の記録媒体に録画データを録画するためのテレビ放送番組のチャンネルがロックされ、該テレビ放送番組の録画データにテレビジョン装置からの画像データが合体されて記録媒体への録画が行われるようにしたので、たとえば常時録画中にチャンネル切り替えが行われた場合であっても、チャンネル切り替え後の常時録画を適切に行うことができる。
【図面の簡単な説明】
【００１０】
【図１】本発明の録画再生システムの一実施形態を説明するための図である。
【図２】図１の録画再生システムの動作を説明するためのフローチャートである。
【図３】図１の録画再生システムにおける録画再生の概要を説明するためのタイミングチャートを示す図である。
【図４】図１の録画再生システムにおける録画再生装置側の録画データとテレビジョン装置側のキャプチャー録画データとの合体を説明するための図である。
【図５】図１の録画再生システムにおける録画再生装置側の録画データとテレビジョン装置側のキャプチャー録画データとの合体を説明するための図である。
【図６】図１の録画再生システムの他の動作を説明するためのフローチャートである。
【図７】図１の録画再生システムの他の動作を説明するためのフローチャートである。
【図８】図６及び図７の動作における録画再生の概要を説明するためのタイミングチャートを示す図である。
【図９】図６及び図７の動作における録画再生の概要を説明するためのタイミングチャートを示す図である。
【図１０】図６及び図７の動作における録画再生の概要を説明するためのタイミングチャートを示す図である。
【発明を実施するための形態】
【００１１】
以下、本発明の実施形態の詳細を、図１〜図５を参照して説明する。
【００１２】
まず、図１は本発明の録画再生システムの一実施形態を説明するための図であり、同図に示す録画再生システムは、テレビジョン装置１０、録画再生装置２０、リモコン装置３０を備えている。
【００１３】
テレビジョン装置１０は、少なくとも、受信部１１、表示装置１２、記録部１３、制御部１４を有している。
【００１４】
受信部１１は、選局されたテレビ放送番組の信号を受信する。表示装置１２は、受信部１１により選局されたテレビ放送番組を表示する。また、表示装置１２は、リモコン装置３０からの後述のリモコンコード信号を受信するための図示しない受信部を有している。記録部１３は、表示装置１２に表示された映像を所定時間だけキャプチャー録画データとして記録するものである。
【００１５】
ここで、キャプチャーとは、表示装置１２に表示された映像がそのまま画像データとして記録部１３に記録されたものである。さら言えば、キャプチャーとは、表示装置１２に表示されている静止画像及び／又は動画像を、画像データとしてファイルに保存することであり、そのキャプチャー録画データは逐次更新され、古いキャプチャー録画データはその都度破棄、削除されて記録部１３に記録されるようになっている。なお、以下において、記録部１３に記録されたものをキャプチャー録画データという。
【００１６】
また、記録部１３は、キャプチャー録画データが所定の時間（ｔ２：たとえば１分程度）だけ記録される記録容量を有していればよい。
【００１７】
制御部１４は、たとえばリモコン装置３０からのリモコンコード信号に基づき、受信部１１、表示装置１２、記録部１３のそれぞれの動作を制御する。また、制御部１４は、録画再生装置２０に対して、テレビジョン装置１０側のキャプチャー録画データと録画再生装置２０側の録画データとの合体を行わせる制御を行うが、その詳細については後述する。
【００１８】
録画再生装置２０は、録画制御部２１、再生制御部２２を有している。録画制御部２１は、リモコン装置３０等の設定や指示に基づき、視聴中の映像を図示しないハードディスク等の記録媒体に常時録画させたりするなどの制御を行う。
【００１９】
再生制御部２２は、テレビジョン装置１０を介して得られるリモコン装置３０等の設定や指示に基づき、図示しないハードディスク等の記録媒体に録画されている録画データを再生させるための制御を行う。
【００２０】
リモコン装置３０は、選局、常時録画等の設定や指示を行うためのリモコンコード信号を送信する。
【００２１】
次に、上述した録画再生システムによる動作について説明する。なお、以下に示す手順は、主として上述したテレビジョン装置１０側の制御部１４による制御及び制御部１４からの指示に基づく録画制御部２１による制御によって行われるものである。
【００２２】
まず、図２に示すように、テレビジョン装置１０の電源ＯＮ時、テレビジョン装置１０側にて記録部１３に対するキャプチャー録画データの記録が開始される（ステップＳ１）。このキャプチャー録画データの記録はテレビジョン装置１０の電源がＯＦＦされるまで行われる。
【００２３】
ここで、キャプチャーとは、上述したように、表示装置１２に表示されている静止画像及び／又は動画像を、画像データとしてファイルに保存することであり、そのキャプチャー録画データは逐次更新され、古いキャプチャー録画データはその都度破棄、削除されて記録部１３に記録されるようになっている。なお、記録部１３は、上述したように、キャプチャー録画データが所定の時間（ｔ２：たとえば１分程度）だけ記録される記録容量を有していればよい。
【００２４】
次いで、テレビジョン装置１０の電源ＯＮ後から現在までの時間（ｔ）がチェックされる（ステップＳ２）。ここで、一定時間（ｔ１）、チャンネル（ｃｈ）切り替え等が行われたか否かが判断され（ステップＳ３）、チャンネル（ｃｈ）切り替えが行われた場合（ステップＳ３：ＮＯ）、録画再生装置２０側での常時録画を開始させず、時間カウントを０とする（ステップＳ４）。なお、ここでの一定時間（ｔ１）は、たとえば３０秒程度であればよい。
【００２５】
これに対し、チャンネル（ｃｈ）切り替えが行われなかった場合（ステップＳ３：ＹＥＳ）、録画再生装置２０側では録画制御部２１により現在選局中のテレビ放送番組の映像の常時録画が開始される（ステップＳ５）。このとき、録画制御部２１による常時録画が現在選局中のチャンネル（録画ｃｈ）のものにロックされる。なお、録画再生装置２０がテレビジョン装置１０の外部入力端子に接続されている場合は、常時録画が開始されないようになっている。
【００２６】
すなわち、図３に示すように、テレビジョン装置１０の電源ＯＮ後からの一定時間（ｔ１）は、図３のａに示す期間であり、この期間内は電源ＯＮの直後であるため、録画再生装置２０側での常時録画のチャンネル（録画ｃｈ）のロックは行われないが、テレビジョン装置１０側でのキャプチャー録画データの記録は行われる。
【００２７】
ただし、一定時間（ｔ１）に達した時点では、上述したチャンネル（録画ｃｈ）のロックが行われる。なお、電源ＯＮ後では図３に示すように、チャンネル（ｃｈ）１が選局されているものとする。
【００２８】
次いで、常時録画開始後、リモコン装置３０からのリモコンコード信号によりチャンネル（ｃｈ）の切り替えが行われると（ステップＳ６）、録画制御部２１により切り替えたチャンネル（ｃｈ）と録画中のチャンネル（ｃｈ）とが同じかどうかが判断される（ステップＳ７）。
【００２９】
なお、チャンネル（ｃｈ）の切り替えが行われるとき、ザッピング中も含めて上述したテレビジョン装置１０側での記録部１３に対するキャプチャー録画データの記録は継続されるようになっている。
【００３０】
ここで、切り替えたチャンネル（ｃｈ）と録画中のチャンネル（ｃｈ）とが同じである場合（ステップＳ７：ＹＥＳ）、録画制御部２１により、録画していたテレビ放送番組を引き続き録画させ、時間カウントを０とする（ステップＳ８）。
【００３１】
これに対し、切り替えたチャンネル（ｃｈ）と録画中のチャンネル（ｃｈ）とが異なる場合（ステップＳ７：ＮＯ）、チャンネル（ｃｈ）切り替え後、そのテレビ放送番組の視聴している時間（ｔ）がチェックされる（ステップＳ９）。
【００３２】
ここで、一定時間（ｔ１）内でチャンネル（ｃｈ）切り替え等が行われたか否かが判断され（ステップＳ１０）、一定時間（ｔ１）内でチャンネル（ｃｈ）切り替えが行われた場合（ステップＳ１０：ＮＯ）、すなわち、一定時間（ｔ１）内で頻繁にザッピングが行われた場合は、録画制御部２１により、録画していたテレビ放送番組を引き続き録画させ、時間カウントを０とする（ステップＳ８）。なお、ここでの一定時間（ｔ１）は、上記同様に、たとえば３０秒程度であればよい。
【００３３】
これに対し、一定時間（ｔ１）内でチャンネル（ｃｈ）切り替えが行われなかった場合（ステップＳ１０：ＹＥＳ）、録画制御部２１により、先にロックしてある常時録画でのチャンネル（録画ｃｈ）のロックが解除され、現在選局中のチャンネル（録画ｃｈ）での常時録画に変更される（ステップＳ１１）。
【００３４】
すなわち、図３のｂの期間でザッピング（たとえばチャンネル（ｃｈ）１からチャンネル（ｃｈ）３への切り替え等）が行われた場合は、録画制御部２１により、録画していたテレビ放送番組を引き続き録画させるが、図３のｃの期間で示すように、チャンネル（ｃｈ）１からたとえばチャンネル（ｃｈ）２へのチャンネル（ｃｈ）の切り替えが行われて視聴している時間（ｔ）が一定時間（ｔ１）を超えると、先にロックしてある常時録画でのチャンネル（録画ｃｈ１）のロックが解除され、現在選局中のチャンネル（録画ｃｈ２）での常時録画に変更されることになる。
【００３５】
すなわち、この図３のｃの期間で示すように、一定時間（ｔ１）でチャンネル（ｃｈ）１からチャンネル（ｃｈ）２への切り替えでの視聴が継続していれば、ザッピングが無いと判断されることになる。なお、図３のｄの期間は、チャンネル（ｃｈ）２から外部入力に切り替えられたことを示している。
【００３６】
そして、録画制御部２１による常時録画が現在選局中のチャンネル（録画ｃｈ２）のものにロックされる（ステップＳ１２）。
【００３７】
なお、ステップＳ５、Ｓ１２での常時録画が現在選局中のチャンネル（録画ｃｈ２）のものにロックされると、録画再生装置２０側からテレビジョン装置１０側へ録画開始を示す信号や、録画チャンネル（ｃｈ）の信号等が送られ、それらの信号に基づいた内容がテレビジョン装置１０側の表示装置１２に表示される。
【００３８】
また、ステップＳ５、Ｓ１２での常時録画が現在選局中のチャンネル（録画ｃｈ２）のものにロックされると、ステップＳ１３での映像の合体が行われる。この映像の合体とは、録画再生装置２０側で録画されている録画データと、テレビジョン装置１０側で記録されているキャプチャー録画データとを合体させることである。
【００３９】
この場合、キャプチャー録画データは、ステップＳ５、Ｓ１２での常時録画の開始より時間（ｔ１）前から記録部１３に記録されたものが映像信号に変換され、録画再生装置２０側の録画データと合体されて、録画再生装置２０側にての記録が行われる。
【００４０】
次に、録画再生装置２０側で録画されている録画データと、テレビジョン装置１０側で記録されているキャプチャー録画データとを合体させる場合の具体例について説明する。
【００４１】
まず、図４は、テレビジョン装置１０側の電源がＯＮされた直後の場合を示すものであり、同図ａに示す部分において、ザッピング、すなわちチャンネル（ｃｈ）の切り替えが頻繁にある場合は、録画再生装置２０側での常時録画は開始されないが、テレビジョン装置１０側ではキャプチャー録画データの記録は開始されている。
【００４２】
一方、一定時間（ｔ１）内に、少なくともチャンネル（ｃｈ）の切り替えが無ければ、その時間（ｔ１）後に録画再生装置２０側での常時録画が開始されることになる。そして、録画再生装置２０側で録画されている録画データと、テレビジョン装置１０側で記録されているキャプチャー録画データとを合体させる場合、時間（ｔ１）で示す部分のキャプチャー録画データが録画再生装置２０側の記録のための所定のファイル形式に合わせて変換されて、録画再生装置２０側に転送されると、そのキャプチャー録画データが録画再生装置２０側で既に録画してある録画データの先頭に合体される。
【００４３】
これにより、録画再生装置２０側での常時録画が開始される直前の録画データ（キャプチャー録画データが所定のファイル形式に変換されたもの）が常時録画が開始されてからの録画データの先頭に合体されて、録画されることになる。
【００４４】
また、録画再生装置２０側への転送は、たとえばＨＤＭＩケーブルやＬＡＮケーブル等を用いて行うことができる。
【００４５】
また、図５は、テレビ放送番組の視聴中にチャンネル（ｃｈ）の切り替えがあった場合での録画再生装置２０側で録画されている録画データと、テレビジョン装置１０側で記録されているキャプチャー録画データとを合体させる場合を示している。
【００４６】
まず、録画再生装置２０側でたとえばチャンネル（ｃｈ）１のテレビ放送番組の常時録画が行われているとする。そして、同図ａに示す部分において、ザッピング、すなわちチャンネル（ｃｈ）の切り替えが頻繁にある場合は、録画再生装置２０側での録画チャンネル（ｃｈ）の切り替えは行われない。
【００４７】
一方、一定時間（ｔ１）内において、チャンネル（ｃｈ）１からチャンネル（ｃｈ）２への切り替えでの視聴が継続していれば、ザッピングが無いと判断され、その時間（ｔ１）後に録画再生装置２０側での録画チャンネル（ｃｈ）がチャンネル（ｃｈ）１からチャンネル（ｃｈ）２に切り替えられるとともに、その録画チャンネル（ｃｈ）がチャンネル（ｃｈ）２にロックされる。
【００４８】
また、録画再生装置２０側で録画されている録画データと、テレビジョン装置１０側で記録されているチャンネル（ｃｈ）２のキャプチャー録画データとが合体される。この場合、上記同様に、時間（ｔ１）で示す部分のキャプチャー録画データが録画再生装置２０側の記録のための所定のファイル形式に合わせて変換されて、録画再生装置２０側に転送されると、そのキャプチャー録画データが録画再生装置２０側で既に録画してある録画データの先頭に合体される。
【００４９】
これにより、録画再生装置２０側での録画チャンネル（ｃｈ）が切り替えられてから常時録画が開始される直前の録画データ（キャプチャー録画データが所定のファイル形式に変換されたもの）が、録画チャンネル（ｃｈ）の切り替えに伴って常時録画が開始された録画データの先頭に合体されて、録画されることになる。
【００５０】
このように、本実施形態では、テレビジョン装置１０側の制御部１４により、一定時間内においてチャンネルの切り替えが無いと判断されると、録画再生装置２０側の録画制御部２１に対して現在選局中のチャンネルのテレビ放送番組の常時録画を行わせるように指示され、さらに、記録部１３に記録されている画像データが所定のファイル形式に変換されて録画再生装置２０に転送され、録画制御部２１により、制御部１４からの指示に基づき、記録媒体に録画データを録画するためのテレビ放送番組のチャンネルがロックされ、該テレビ放送番組の録画データにテレビジョン装置１０からの画像データが合体されて記録媒体への録画が行われるようにしたので、たとえば常時録画中にチャンネル（ｃｈ）切り替えが行われた場合であっても、チャンネル（ｃｈ）切り替え後の常時録画を適切に行うことができる。
【００５１】
具体的には、テレビジョン装置１０の電源がＯＮされたとき、制御部１４により、一定時間内に相当する記録部１３に記録されている画像データが所定のファイル形式に変換されて録画再生装置２０に転送され、録画再生装置２０側の録画制御部２１により、テレビ放送番組の録画データの先頭にテレビジョン装置１０からの画像データが合体されて記録媒体への録画が行われる。
【００５２】
この場合、録画再生装置２０側での常時録画が開始される直前の画像データも併せて記録媒体に録画されるため、その常時録画が開始される直前のテレビ放送番組の内容も録画することができる。
【００５３】
また、テレビ放送番組の視聴中にチャンネル（ｃｈ）の切り替えがあった場合では、制御部１４により、録画制御部２１に対して現在選局中のチャンネル（ｃｈ）のテレビ放送番組の常時録画を行わせるように指示され、さらに、一定時間内に相当する記録部１３に記録されている画像データが所定のファイル形式に変換されて録画再生装置２０に転送され、録画制御部２１により、記録媒体に録画データを録画するためのテレビ放送番組のチャンネル（ｃｈ）が切り替えられてロックされ、該切り替えられたテレビ放送番組の録画データの先頭にテレビジョン装置１０からの画像データが合体されて記録媒体への録画が行われる。
【００５４】
この場合、録画再生装置２０側での録画チャンネル（ｃｈ）の切り替え直前の画像データも併せて記録媒体に録画されるため、その録画チャンネル（ｃｈ）の切り替え直前のテレビ放送番組の内容も録画することができる。
【００５５】
また、本実施形態では、上述したように、一定時間（ｔ１）内においてザッピングの有無である、チャンネル（ｃｈ）の切り替えの有無を判断した場合として説明したが、さらに、その一定時間（ｔ１）をユーザの嗜好に応じて自由に設定できるようにしてもよい。
【００５６】
この場合の具体例を、図６〜図９を参照しながら説明する。なお、図６〜図９に示す（ｔ１）とは上記同様に、チャンネル（ｃｈ）の切り替えの有無を判断するための一定時間であるが、その一定時間（ｔ１）は上述したリモコン装置３０による操作により、任意に設定変更できるようになっている。また、（ｔ３）とは上述した録画再生装置２０の録画チャンネル（ｃｈ）切り替えに要する時間であり、録画再生装置２０の固有の時間である。
【００５７】
また、図６及び図７においては、図２の録画再生システムによる動作フローとほぼ共通しているが、特に、図６のステップＳ２４、Ｓ２５及び図７のステップＳ３２、Ｓ３３が追加されている点で、図２の録画再生システムによる動作フローと異なっているため、図２と共通している箇所についての説明は適宜行うものとする。
【００５８】
まず、図６に示すように、ステップＳ２０において、図２のステップＳ１と同様に、上述したテレビジョン装置１０の電源ＯＮ時、テレビジョン装置１０側にて記録部１３に対するキャプチャー録画データの記録が開始されると、図２のステップＳ２と同様に、テレビジョン装置１０の電源ＯＮ後から現在までの時間（ｔ）がチェックされる（ステップＳ２１）。
【００５９】
ここで、図２のステップＳ３と同様に、一定時間（ｔ１）、チャンネル（ｃｈ）切り替え等が行われたか否かが判断され（ステップＳ２２）、チャンネル（ｃｈ）切り替えが行われた場合（ステップＳ２２：ＮＯ）、図２のステップＳ４と同様に、録画再生装置２０側での常時録画を開始させず、時間カウントを０とする（ステップＳ２３）。
【００６０】
次に、ステップＳ２２において、チャンネル（ｃｈ）切り替えが行われなかった場合（ステップＳ２２：ＹＥＳ）、引き続き、チャンネル（ｃｈ）切り替え後その番組を視聴している時間（ｔ）がチェックされる（ステップＳ２４）。ここで、一定時間（ｔ３）の間、チャンネル（ｃｈ）の切り替え等が行われたか否かが判断され（ステップＳ２５）、チャンネル（ｃｈ）切り替えが行われた場合（ステップＳ２５：ＮＯ）、ステップＳ２３に戻り、録画再生装置２０側での常時録画を開始させず、時間カウントを０とする。
【００６１】
これに対し、チャンネル（ｃｈ）切り替えが行われなかった場合（ステップＳ２５：ＹＥＳ）、図２のステップＳ５と同様に、録画再生装置２０側では録画制御部２１により現在選局中のテレビ放送番組の映像の常時録画が開始される（ステップＳ２６）。
【００６２】
次いで、図２のステップＳ６と同様に、常時録画開始後、リモコン装置３０からのリモコンコード信号によりチャンネル（ｃｈ）の切り替えが行われると（ステップＳ２７）、図２のステップＳ７と同様に、録画制御部２１により切り替えたチャンネル（ｃｈ）と録画中のチャンネル（ｃｈ）とが同じかどうかが判断される（ステップＳ２８）。
【００６３】
次に、ステップＳ２８において、切り替えたチャンネル（ｃｈ）と録画中のチャンネル（ｃｈ）とが同じである場合（ステップＳ２８：ＹＥＳ）と、異なる場合（ステップＳ２８：ＮＯ）、図７に示す動作に移る。
【００６４】
すなわち、図７において、切り替えたチャンネル（ｃｈ）と録画中のチャンネル（ｃｈ）とが同じである場合（ステップＳ２８：ＹＥＳ）、図２のステップＳ８と同様に、録画制御部２１により、録画していたテレビ放送番組を引き続き録画させ、時間カウントを０とする（ステップＳ３１）。
【００６５】
これに対し、切り替えたチャンネル（ｃｈ）と録画中のチャンネル（ｃｈ）とが異なる場合（ステップＳ２８：ＮＯ）、図２のステップＳ９と同様に、チャンネル（ｃｈ）切り替え後、そのテレビ放送番組の視聴している時間（ｔ）がチェックされる（ステップＳ２９）。
【００６６】
ここで、図２のステップＳ１０と同様に、一定時間（ｔ１）内でチャンネル（ｃｈ）切り替え等が行われたか否かが判断され（ステップＳ３０）、一定時間（ｔ１）内でチャンネル（ｃｈ）切り替えが行われた場合（ステップＳ３０：ＮＯ）、すなわち、一定時間（ｔ１）内で頻繁にザッピングが行われた場合は、図２のステップＳ８と同様に、録画制御部２１により、録画していたテレビ放送番組を引き続き録画させ、時間カウントを０とする（ステップＳ３１）。
【００６７】
これに対し、一定時間（ｔ１）内でチャンネル（ｃｈ）切り替えが行われなかった場合（ステップＳ３０：ＹＥＳ）、引き続き、チャンネル（ｃｈ）切り替え後その番組を視聴している時間（ｔ）がチェックされる（ステップＳ３２）。ここで、一定時間（ｔ３）の間、チャンネル（ｃｈ）の切り替え等が行われたか否かが判断され（ステップＳ３３）、チャンネル（ｃｈ）切り替えが行われた場合（ステップＳ３３：ＮＯ）、ステップＳ３１に戻り、録画再生装置２０側での常時録画を開始させず、時間カウントを０とする。
【００６８】
また、一定時間（ｔ３）内でチャンネル（ｃｈ）切り替えが行われなかった場合（ステップＳ３３：ＹＥＳ）、図２のステップＳ１１と同様に、録画制御部２１により、先にロックしてある常時録画でのチャンネル（録画ｃｈ）のロックが解除され、現在選局中のチャンネル（録画ｃｈ）での常時録画に変更される（ステップＳ３４）。
【００６９】
すなわち、図８（ａ）に示すように、ｔ１＜ｔ３のときで、ｔ１〜ｔ３の間の時間にチャンネル（ｃｈ）の切り替えが行われたとき、ｔ１＋αまでの間（ｔ１からチャンネル（ｃｈ）の途中切り替え時まで）のキャプチャー録画データは破棄されず（記録部１３に記録される）、録画再生装置２０へ転送されるようになっている。なお、図８（ｂ）は、録画再生装置２０側での現在の録画チャンネル（ｃｈ）を示している。
【００７０】
また、図９（ａ）に示すように、ｔ１＜ｔ３のときで、０〜ｔ３の間の時間にチャンネル（ｃｈ）の切り替えが行われたとき、β間（０からチャンネル（ｃｈ）の途中切り替え時まで）のキャプチャー録画データは破棄され（記録部１３に記録されない）、録画再生装置２０へ転送されないようになっている。なお、図９（ｂ）は、録画再生装置２０側での現在の録画チャンネル（ｃｈ）を示している。
【００７１】
また、図１０（ａ）に示すように、ｔ３＜ｔ１のときで、ｔ３〜ｔ１の間の時間にチャンネル（ｃｈ）の切り替えが行われたとき、ｔ３＋γまでの間（ｔ３からチャンネル（ｃｈ）の途中切り替え時まで）のキャプチャー録画データは破棄され（記録部１３に記録されない）、録画再生装置２０へ転送されないようになっている。なお、図１０（ｂ）は、録画再生装置２０側での現在の録画チャンネル（ｃｈ）を示している。
【００７２】
そして、図２のステップＳ１２と同様に、録画制御部２１による常時録画が現在選局中のチャンネル（録画ｃｈ２）のものにロックされる（ステップＳ３５）。また、図２のステップＳ５、Ｓ１２と同様に、図６及び図７のステップＳ２６、Ｓ３５での常時録画が現在選局中のチャンネル（録画ｃｈ２）のものにロックされた場合と、図６のステップＳ２５でのチャンネル（ｃｈ）切り替えが行われると、図２のステップＳ１３と同様に、映像の合体が行われる（図６のステップＳ３６）。
【００７３】
以上のように、ザッピングの有無である、チャンネル（ｃｈ）の切り替えの有無を判断するための一定時間（ｔ１）をユーザの嗜好に応じて自由に設定できるようにすることで、その一定時間（ｔ１）が録画再生装置２０の録画チャンネル（ｃｈ）切り替えに要する時間（ｔ３）より短い場合であって、図８のようにｔ１からチャンネル（ｃｈ）の途中切り替え時までの間のキャプチャー録画データは破棄されず、図９のように一定時間（ｔ１）より短い０からチャンネル（ｃｈ）の途中切り替え時までの間のキャプチャー録画データは破棄されるようにすることができる。
【００７４】
また、その一定時間（ｔ１）が録画再生装置２０の録画チャンネル（ｃｈ）切り替えに要する時間（ｔ３）より長い場合であって、図１０のようにｔ３からチャンネル（ｃｈ）の途中切り替え時までの間のキャプチャー録画データは破棄されるようにすることができる。
【００７５】
つまり、録画再生装置２０の録画チャンネル（ｃｈ）切り替えに要する時間（ｔ３）に関わらず、その一定時間（ｔ１）に応じてチャンネル（ｃｈ）の途中切り替え時までのキャプチャー録画データを残したり破棄したりすることができることになる。そして、結果として、ユーザが視聴を希望している、あるいは興味があると思われるキャプチャー録画データのみが映像として合体されることになる。
【００７６】
なお、その一定時間（ｔ１）については、上述したように、ユーザの嗜好に合わせて設定できるようにすることは勿論であるが、テレビジョン装置１０側に搭載されている学習機能によりユーザの嗜好に合わせて自動で設定変更されるようにしてもよい。
【符号の説明】
【００７７】
１０  テレビジョン装置
１１  受信部
１２  表示装置
１３  記録部
１４  制御部
２０  録画再生装置
２１  録画制御部
２２  再生制御部
３０  リモコン装置
【図１】
2013175965.tif 000003
【図２】
2013175965.tif 000004
【図３】
2013175965.tif 000005
【図４】
2013175965.tif 000006
【図５】
2013175965.tif 000007
【図６】
2013175965.tif 000008
【図７】
2013175965.tif 000009
【図８】
2013175965.tif 000010
【図９】
2013175965.tif 000011
【図１０】
2013175965.tif 000012